(57)【特許請求の範囲】
【請求項１】
対面カウンターを有する流し台のガス台直上に設置されるレンジフードの取付構造であって、
前記流し台の前面にガス台に対面し、且つ対面カウンターの端部に対面カウンターより上方に突設した縦長の棚板を備えた木造製家具と、該家具の背面側を覆うように取付け可能な断熱材から成る取付けパネルと、該取付けパネルの上方に設けられた取付け部に固定具を介して取付けられる上部方向吸引型のレンジフードとであって、前記家具の背面を利用してレンジフードを取り付けるべく構成されることを特徴とするレンジフードの取付構造。
【請求項２】
前記パネルは、少なくとも前記ガス台の横領域に相当する幅を有すると共に前記レンジフードが取付けられる所定高さを有し、前面に前記レンジフードが位置決め係止される係止部が突設されて成る請求項１に記載のレンジフードの取付構造。
【発明の詳細な説明】
【０００１】
【発明の属する技術分野】
本発明は、レンジフードの取付構造に関し、特にレンジフードが取付けパネルと共にユニット化されたレンジフードの取付構造に関する。
【０００２】
【従来の技術】
近年のシステムキッチン等では対面カウンターを設けた流し台が多く使用されている。
【０００３】
該流し台の一部上面にはガス台が配置されており、このガス台の直上にはレンジフードが取付けられている。
【０００４】
このレンジフードは、従来より、ガス台上部壁面に取付けられるが、レンジフードが取付けられる壁面はタイルやモルタル等により形成されており、レンジフードの取付けに際し、予め壁面の所定筒所に穴加工が施された上で該穴にそれぞれ雌ネジ等を埋め込み、レンジフードの取付け穴を挿通したねじを前記雌ネジに螺着させて固定していた。
【０００５】
【発明が解決しようとする課題】
このようなレンジフードの取付け作業はすべて現地において行なわれ、壁面への取付け位置の設定や、位置が確定した後の穴加工が高い位置での作業となり、また加工された穴に挿入された雌ネジはモルタル等で固定され、乾燥させて確実に固定された状態を確認した上でレンジフードがそれぞれねじにより固定される。
【０００６】
このように、レンジフードの取付け作業は従来より、足場を設けたり、雌ネジを固定するために予めモルタル等を準備する必要が有り、取り付けのための作業が困難で、且つ取付け完了までの時間を長く要していた。
【０００７】
そしてまた、レンジフードの取付け箇所は、壁面が存在する場所に限られるため、必ずしもガス台の直上に位置するとは限らず、位置合わせのために特殊構造のレンジフードが要求されてコスト高となる不経済な問題を有していた。
【０００８】
本発明はこのような問題点を解決するため、壁面等が存在しない場合でも家具などの背面を利用して簡単な作業で且つ迅速に取付けることができ、家具が熱に対しても影響を受けることがなく安全が保障されるレンジフードの取付構造を提供することを目的としている。
【０００９】
【課題を解決するための手段】
上記目的を達成するために、本発明のレンジフードの取付構造は、対面カウンターを有する流し台のガス台直上に設置されるレンジフードの取付構造であって、
前記流し台の前面にガス台に対面し、且つ対面カウンターの端部に対面カウンターより上方に突設した縦長の棚板を備えた木造製家具と、該家具の背面側を覆うように取付け可能な断熱材から成る取付けパネルと、該取付けパネルの上方に設けられた取付け部に固定具を介して取付けられる上部方向吸引型のレンジフードとであって、前記家具の背面を利用してレンジフードを取り付けるべく構成されることを特徴としている。
この特徴によれば、レンジフードが断熱材から成る取付けパネルの取付け部に固定具を介して工場などで予め取付けられてユニット化されるので、現地での取付け作業が容易となり、また、所定箇所に壁面が存在しない場合でも流し台の前面にガス台に対面して棚板を備えた木造製家具を設置することにより、家具の収納力を維持しつつ家具の背面を利用してレンジフードを取付けてもガス台からの熱の影響を受けないようにレンジフードを簡単に取付けることができる。
【００１０】
本発明のレンジフードの取付構造は、前記パネルが、少なくとも前記ガス台の横領域に相当する幅を有すると共に前記レンジフードが取付けられる所定高さを有し、前面に前記レンジフードが位置決め係止される係止部が突設されて成れば好ましい。
このようにすることで、レンジフードが係止部に係止されて位置決めされるので、パネルヘの取付け作業を簡略化することができる。
【００１１】
【発明の実施の形態】
以下、本発明の実施例を図面に基づいて説明する。図１は本発明のレンジフードが対面カウンター構造を有する流し台のガス台直上に取付けられた状態を示す斜視図、図２は家具の背面にレンジフードが取付けられた状態を示す部分斜視図、図３はパネルとレンジフードの取付け関係を示す説明図であり、図４はレンジフード背面の取付け部を示す斜視図である。
【００１２】
図１において１は、レンジフードを示し、レンジフード１は、対面カウンター２を有する流し台３のガス台４直上に設置されるものであって、前記流し台３の前面にガス台４に対面して設置された縦長の家具５（例えば木造製の棚等）と、該家具５の背面側を覆うように取付け可能な断熱材から成る取付けパネル６ａ、６ｂと、該取付けパネル６ａ、６ｂの上方に設けられた取付け部７に固定具としてのねじ８（例えばタッピングねじ等）を介して取付けられるレンジフードとで構成される。
【００１３】
更に詳しくは、図３に示すように前記棚５は、ガス台４の対面に立設して設置され、その背面の上部側には背板９が取付けられており、その下部には前記背板９と同一平面に複数の横桟１０ａ、１０ｂ、１０ｃが平行に設けられた構成となっている。
【００１４】
一方、上部のパネル６ａは、前面に６箇所の取付け穴１１が形成されており、これら取付け穴１１は、各取付けねじ８の頭部が陥没する程度の深さを有する座ぐり穴として構成されており、各取付けねじ８を介して棚５背面の背板９に取付けられるように構成されている。
【００１５】
そして、レンジフード１の取付け部７には、取付け領域内にレンジフード１を位置決め係止するための係止部としてのねじ頭部１３が２箇所から突設されると共に、レンジフード１取付け用のねじ穴１７が４箇所に配設されている。
【００１６】
また、同様に下部のパネル６ｂは、前面に６箇所の取付け穴１２が前記棚５背面の横桟１０ａ、１０ｂ、１０ｃに対応する位置に形成されており、これら取付け穴１１は、各取付けねじ８の頭部が陥没する程度の深さを有する座ぐり穴として構成されている。
【００１７】
図４に示されるように、レンジフードｌの背面側取付け部１４には、前記ねじ穴１７に対応して４箇所にねじ１８が挿通可能な取付け穴１５が配設されると共に、左右に２個の係止穴１６が形成されていて、これら係止穴１６は、下部が前述した係止部としてのねじ頭部１３が挿通可能な大きさに形成され、この上部には連通するよう軸部のみが挿通可能な切欠きを形成したダルマ型の穴に形成されている。
【００１８】
更に前記レンジフード１の上面には換気扇１９が取付けられており、この換気扇１９とガス台４の側壁上部に形成された排気口２０とはＬ字形に折曲された排気筒２１を介して接続されている。
【００１９】
次に、上記のように構成されたレンジフードの取付け手順を説明する。先ず、図１及び図２に示されるように、流し台３の前面に対面カウンター２が設置されると共に、この対面カウンター２の端部（ガス台の対面側）に家具としての縦長の棚５が立設して設置される。
【００２０】
そして、断熱材により構成されたパネル６ａの前面にはレンジフード１が取付けられる。この取付けに際し、レンジフード１の係止穴１６がパネル６ａに突設された係止部としてのねじ頭部１３に係止して位置決めされる。
【００２１】
このように、レンジフード１が係止穴１６に係止されて位置決めされるので、パネル６ａへの取付け作業を簡略化することができる。
【００２２】
この状態で、レンジフード１は、各取付け穴１５を挿通したねじ１８をパネル６ａのねじ穴１７に螺着して取付けられてユニット化される。
【００２３】
次に棚５の背面側下方にパネル６ｂが、ねじ８を介して取付けられると、このパネル６ｂの上端に接合してユニット化されたパネル６ａの取付け穴１１にそれぞれ取付けねじ８を挿通させて棚５の背面に螺着することができる。
【００２４】
このように、レンジフード１が断熱材から成る取付けパネル６ａの取付け部７に取付けねじ８を介して工場などで予め取付けられてユニット化されるので、現地での取付け作業が容易となり、また、所定筒所に壁面が存在しない場合でも流し台３の前面にガス台４に対面して棚５等を設置することにより、棚５の背面を利用してレンジフード１を取付けてもガス台４からの熱の影響を受けることなくレンジフード１を簡単に取付けることができる。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
【発明の効果】
本発明は次の効果を奏する。
【００２７】
（ａ）請求項１の発明によれば、レンジフードが断熱材から成る取付けパネルの取付け部に固定具を介して工場などで予め取付けられてユニット化されるので、現地での取付け作業が容易となり、また、所定箇所に壁面が存在しない場合でも流し台の前面にガス台に対面して棚板を備えた木造製家具を設置することにより、家具の収納力を維持しつつ家具の背面を利用してレンジフードを取付けてもガス台からの熱の影響を受けないようにレンジフードを簡単に取付けることができる。
【００２８】
（ｂ）請求項２の発明によれば、レンジフードが係止部に係止されて位置決めされるので、パネルヘの取付け作業を簡略化することができる。
【図面の簡単な説明】
【図１】  本発明の一実施形態としてのレンジフードが対面カウンター構造を有する流し台のガス台直上に取付けられた状態を示す斜視図である。
【図２】  家具の背面にレンジフードが取付けられた状態を示す部分斜視図である。
【図３】  パネルとレンジフードの取付け関係を示す説明図である。
【図４】  レンジフード背面の取付け部を示す斜視図である。
【符号の説明】
１                      レンジフード
２                      対面カウンター
３                      流し台
４                      ガス台
５                      棚（家具）
６ａ、６ｂ              取付けパネル
７                      取付け部
８                      ねじ
９                      背板
１０ａ、１０ｂ、１０ｃ  横桟
１１、１２              取付け穴
１３                    ねじ頭部（係止部）
１４                    取付け部
１５                    取付け穴
１６                    係止穴
１８                    ねじ
１９                    換気扇
２０                    排気口
２１                    排気筒
【図１】
0003664355.tif 000002
【図２】
0003664355.tif 000003
【図３】
0003664355.tif 000004
【図４】
0003664355.tif 000005